(57)【要約】 【課題】製造が容易であり、製造に要する費用が嵩むことを防止することができ、所望の柔軟性および通気性および防水性を確保しつつ、人体への装着時に違和感が生じることを防止する。【解決手段】電位治療美容器１０は、人体の頭部に装着可能であって、電気的絶縁材からなる覆布片および覆布片の内部に収容されて人体に対して絶縁された電極体片を備える易変形性の電床１１と、電床１１の電極体片と人体との間に所定電位差を発生可能な電位発生装置１２とを備え、覆布片は防水性および通気性および伸縮性を有し、電極体片はメッシュ状である。【選択図】図１
2010035798.tif 000002
【特許請求の範囲】
【請求項１】
電位治療または電位美容に用いる電床であって、
前記電床は、人体の頭部に装着可能であり、
電気的絶縁性および防水性および通気性および伸縮性を有する材質からなる被覆部材および該被覆部材の内部に収容されて人体に対して絶縁されたメッシュ状の電極体を備え、かつ易変形性であることを特徴とする電床。
【請求項２】
前記電極体は、糸状または紐状の線条素材の表面に導電性物質からなる導電層が設けられた後に前記線条素材が編組または織込されて形成されたメッシュ状の電極であることを特徴とする請求項１に記載の電床。
【請求項３】
前記電床は、一体に接続される複数の電床片により構成され、
前記電極体は、前記電床片毎に具備されるメッシュ状の電極体片が接続されて構成され、
前記電極体に電位を導く電線を接続する接続部を備えることを特徴とする請求項１または請求項２に記載の電床。
【請求項４】
前記接続部は、前記電床の頭頂部近傍に設けられていることを特徴とする請求項３に記載の電床。
【請求項５】
前記電床片は、湾曲した２辺の湾曲辺を有する略二等辺三角形状であり、
前記電床は、周方向で隣り合う前記電床片同士の互いの前記湾曲辺同士が接続されて略半球状に構成されていることを特徴とする請求項３に記載の電床。
【請求項６】
前記電床の開口端部に弾性部材を備え、
該弾性部材は弾性変形により前記開口端部の開口径を変更可能であることを特徴とする請求項１から請求項５の何れかひとつに記載の電床。
【請求項７】
請求項１から請求項６の何れかひとつに記載の電床と、
電位治療または電位美容に用いる電位を発生させる電位発生部と、
前記電位発生部が発生した電位を人体に導く導子と
を備えることを特徴とする電位治療美容器。
【発明の詳細な説明】
【技術分野】
【０００１】
本発明は、電床および電位治療美容器に関する。
【背景技術】
【０００２】
従来、例えば人体の局部治療部位（例えば、足部あるいは腕部など）に巻き付けて電位治療をおこなうことができる治療電極体として、柔軟性を有する導体の外周をビニール布などで絶縁被覆して構成されたものが知られている（例えば、特許文献１参照）。
【特許文献１】特許第２６４９１６０号公報
【発明の開示】
【発明が解決しようとする課題】
【０００３】
ところで、上記従来技術の一例に係る治療電極体を用いて人体の頭部の電位治療をおこなう場合には、治療電極体を頭部に密着させる必要があることから、治療電極体に所望の柔軟性を確保することが望まれている。
しかも、治療電極体を頭部に密着させた状態での頭部の蒸れを抑制するために、治療電極体に所望の通気性を確保すると共に、人体の感電を防止するために、治療電極体に所望の防水性を確保することが望まれている
また、治療電極体の人体への装着時に外部の電源などとを接続される接続端子が人体の体位（例えば、臥位など）に応じて邪魔となることを防止することが望まれている。
本発明は上記事情に鑑みてなされたもので、製造が容易であり、製造に要する費用が嵩むことを防止することができ、所望の柔軟性および通気性および防水性を確保しつつ、人体への装着時に違和感が生じることを防止することが可能な電床および電位治療美容器を提供することを目的とする。
【課題を解決するための手段】
【０００４】
上記課題を解決して係る目的を達成するために、本発明の第１態様に係る電床は、電位治療または電位美容に用いる電床（実施の形態での電床１１）であって、前記電床は、人体の頭部に装着可能であり、電気的絶縁性および防水性および通気性および伸縮性を有する材質からなる被覆部材（実施の形態での覆布片２２）および該被覆部材の内部に収容されて人体に対して絶縁されたメッシュ状の電極体（実施の形態での電極体片２３）を備え、かつ易変形性である。
【０００５】
さらに、本発明の第２態様に係る電床では、前記電極体は、糸状または紐状の線条素材（実施の形態での線材２３ａ）の表面に導電性物質からなる導電層が設けられた後に前記線条素材が編組または織込されて形成されたメッシュ状の電極である。
【０００６】
さらに、本発明の第３態様に係る電床は、前記電床は、一体に接続される複数の電床片（実施の形態での電床片２１，…，２１）により構成され、前記電極体は、前記電床片毎に具備されるメッシュ状の電極体片（実施の形態での電極体片２３，…，２３）が接続されて構成され、前記電極体に電位を導く電線（実施の形態での電線１４）を接続する接続部（実施の形態での上部プロテクタ２４および下部プロテクタ２５）を備える。
【０００７】
さらに、本発明の第４態様に係る電床では、前記接続部は、前記電床の頭頂部近傍に設けられている。
【０００８】
さらに、本発明の第５態様に係る電床では、前記電床片は、湾曲した２辺の湾曲辺を有する略二等辺三角形状であり、前記電床は、周方向で隣り合う前記電床片同士の互いの前記湾曲辺同士が接続されて略半球状に構成されている。
【０００９】
さらに、本発明の第６態様に係る電床は、前記電床の開口端部に弾性部材（実施の形態でのゴムひも１５）を備え、該弾性部材は弾性変形により前記開口端部の開口径を変更可能である。
【００１０】
さらに、本発明の第７態様に係る電位治療美容器（実施の形態での電位治療美容器１０）は、第１態様から第６態様の何れかひとつに記載の電床（実施の形態での電床１１）と、電位治療または電位美容に用いる電位を発生させる電位発生部（実施の形態での電位発生装置１２）と、前記電位発生部が発生した電位を人体に導く導子（実施の形態での導子１３）とを備える。
【発明の効果】
【００１１】
本発明の第１態様に係る電床によれば、人体の頭部に装着される電床を構成する被覆部材（例えば、覆布など）および電極体は、易変形性とされることで、人体の頭部に密着可能であり、電極体はメッシュ状であることから、所望の通気性を確保することができ、装着時の頭部の蒸れの発生を抑制することができる。
【００１２】
本発明の第２態様に係る電床によれば、メッシュ状の電極である電極体は、例えば鍍金、蒸着、塗布などにより糸状または紐状の線条素材の表面に導電性物質からなる導電層が設けられた後に、編組または織込によってメッシュ状に形成される。このため、導電性層を有する糸状または紐状の線条素材が互い違いに組み合わされて交差する部位であっても線条素材が変位可能であり、柔軟性を向上させることができる。これに対して、例えば糸状または紐状の線条素材が編組または織込によってメッシュ状に形成された後に、鍍金、蒸着、塗布などにより導電性物質からなる導電層が設けられる場合などでは、線条素材同士が交差する部位が導電性物質によって固定されてしまう虞があり、所望の柔軟性を確保することができないという問題が生じる。
【００１３】
本発明の第３態様に係る電床によれば、電床を複数の電床片により構成することで、容易に所望の立体形状に形成することができ、例えば略半球状などの帽子型形状であっても、人体の頭部への密着性を向上させることができる。
【００１４】
本発明の第４態様に係る電床によれば、電極体に電位を導く電線を接続する接続部を頭頂部近傍に備えることから、例えば人体が臥位などの体位であっても、接続部が邪魔となることを防止することができる。
【００１５】
本発明の第５態様に係る電床によれば、電床を複数の絶縁電床片により構成することで、容易に所望の立体形状に形成することができ、特に、各電床片を、湾曲した２辺の湾曲辺を有する略二等辺三角形状とすることで、例えば電床が略半球状などの帽子型形状であっても、人体の頭部への密着性を向上させることができる。
しかも、製造が容易であり、製造に要する費用が嵩むことを防止することができることに加えて、各電床片の形状を単位として、帽子型形状の電床を容易に折り畳むことができ、収納性を向上させることができる。
【００１６】
本発明の第６態様に係る電床によれば、電床の開口端部の開口径を弾性部材の弾性変形により変更可能であることから、例えば帽子型形状などの電床の頭部への密着性を向上させることができる。
【００１７】
本発明の第７態様に係る電位治療美容器によれば、電位治療または電位美容を適切に行うことができる。
【発明を実施するための最良の形態】
【００１８】
以下、本発明の実施の形態に係る電床および電位治療美容器について添付図面を参照しながら説明する。
【００１９】
本実施形態に係る電位治療美容器１０は、電位治療または電位美容をおこなうものであって、例えば図１に示すように、人体の頭部に装着可能な易変形性の電床１１と、電位発生装置１２と、導子１３とを備えている。
電位発生装置１２は、接地された第１出力端子１２ａと、電位治療または電位美容に用いる所定高電位を印加可能な第２出力端子１２ｂとを備えている。
導子１３は、電位発生装置１２の第１出力端子１２ａに接続され、人体の所定部位に導通可能に接触して、人体の生体電位を接地電位に維持する。
なお、導子１３は、電位発生装置１２の第２出力端子１２ｂに接続されて、電位発生装置１２が発生した所定高電位を人体に導いてもよい。
【００２０】
電床１１は、複数（例えば、５つなど）の電床片２１，…，２１が接続されて構成され、各電床片２１は、例えば図１〜図３に示すように、湾曲した２辺の湾曲辺２１ａ，２１ａを有する略二等辺三角形状に形成されている。
各電床片２１は、電気的絶縁材からなる覆布片２２と、覆布片２２の内部に収容されて人体に対して絶縁された電極体片２３とを備えて構成されている。
【００２１】
覆布片２２は、所定の防水性および通気性および伸縮性および易変形性を有し、例えば図３に示すように、覆布片２２の布目は湾曲辺２１ａに対してバイアスとなるように形成されている。
電極体片２３は、例えば、非導電性の繊維からなる糸状または紐状の素材に、導電性材料が鍍金、蒸着、塗布などされてなる線材２３ａが、編組または織込などによって互い違いに組み合わされて編成された易変形性を有するメッシュ状の電極であり、略二等辺三角形状の本体部２３ｂと、この本体部２３ｂの頂部から突出する突出部２３ｃとを備えている。
【００２２】
覆布片２２は、例えば、略二等辺三角形状の表地および裏地の周縁部が閉じられた袋状に形成され、電極体片２３の本体部２３ｂよりも僅かに大きな内部空間を有する。
また、覆布片２２は頂部に形成された頂部開口２２ａを備え、覆布片２２の内部に電極体片２３の本体部２３ｂが収納された状態で、覆布片２２の頂部開口２２ａから電極体片２３の突出部２３ｃが外部に突出するようになっている。
覆布片２２の内部において、覆布片２２の表地および裏地と電極体片２３の本体部２３ｂとは、電極体片２３のメッシュ幅よりも大きい網目間隔を有する熱溶着性の網目状接着材（図示略）によって接着されている。
【００２３】
複数（例えば、５個以上であって、６個など）の電床片２１，…，２１は周方向に配置され、周方向で隣り合う電床片２１，２１の互いの湾曲辺２１ａ，２１ａ同士が重ね合わされて、互いの電極体片２３，２３同士は重なり合わずに覆布片２２，２２同士のみが重なり合う位置で縫製された後にバイアス仕上げがおこなわれることで、略半球状の帽子型の形状をなすように形成されている。
【００２４】
また、複数の電床片２１，…，２１の覆布片２２，…，２２から外部に突出する突出部２３ｃ，…，２３ｂは適宜の順序で重ね合わされた状態で、各覆布片２２の表面側と裏面側との両側から上部プロテクタ２４と下部プロテクタ２５とによって挟み込まれることで互いに導通状態とされている。
上部プロテクタ２４は、例えば図４（Ａ），（Ｂ）に示すように、電気的絶縁材による略円錐型の筒状に形成され、電位発生装置１２の第２出力端子１２ｂに接続された電線１４の端部が装着される電線接続部２４ａと、複数の電床片２１，…，２１の覆布片２２，…，２２から外部に突出する突出部２３ｃ，…，２３ｂが収容される収容部２４ｂと、下部プロテクタ２５の上面２５Ａに当接する下面２４Ａ上において下部プロテクタ２５の嵌合突出部２５ａを装着可能な嵌合凹部２４ｃとを備えて構成されている。
下部プロテクタ２５は、例えば図５（Ａ），（Ｂ）に示すように、電気的絶縁材による略円板状に形成され、上部プロテクタ２４の下面２４Ａに当接する上面２５Ａ上において上部プロテクタ２４の嵌合凹部２４ｃに装着可能な嵌合突出部２５ａを備えている。
【００２５】
上部プロテクタ２４の下面２４Ａと下部プロテクタ２５の上面２５Ａとは、複数の電床片２１，…，２１の覆布片２２，…，２２の頂部近傍を各覆布片２２の表面側と裏面側との両側から挟み込み、下部プロテクタ２５の嵌合突出部２５ａは適宜の覆布片２２を挟み込みつつ上部プロテクタ２４の嵌合凹部２４ｃに装着されることで、上部プロテクタ２４および下部プロテクタ２５と複数の電床片２１，…，２１とが固定される。
そして、上部プロテクタ２４の収容部２４ｂに収容された複数の電床片２１，…，２１の突出部２３ｃ，…，２３ｂは、上部プロテクタ２４の電線接続部２４ａに装着された電線１４の端部と接触した状態で固定されることにより、複数の電床片２１，…，２１の電極体片２３，…，２３が電線１４によって電位発生装置１２の第２出力端子１２ｂに接続されている。
なお、導子１３が電位発生装置１２の第２出力端子１２ｂに接続されている場合には、電線１４は電位発生装置１２の第２出力端子１２ｂの代わりに第１出力端子１２ａに接続される。
【００２６】
そして、略半球状の帽子型の電床１１の開口端部近傍には、周方向に亘ってゴムひも装着部１１ａが設けられ、このゴムひも装着部１１ａにゴムひも１５が装着されている。ゴムひも装着部１１ａ内でのゴムひも１５の長さはコードアジャスタ１６により調整可能とされている。これにより、電床１１の開口端部の開口径をゴムひも１５の弾性変形により変更可能である。
【００２７】
上述したように、本実施の形態による電床１１によれば、人体の頭部に装着される電床１１を構成する覆布片２２および電極体片２３は、易変形性とされることで、人体の頭部に密着可能であり、電極体片２３はメッシュ状であることから、所望の通気性を確保することができ、装着時の頭部の蒸れの発生を抑制することができる。
さらに、電床１１は電線１４を電極体片２３に接続する上部プロテクタ２４および下部プロテクタ２５を頭頂部近傍に備えることから、例えば人体が臥位などの体位であっても、上部プロテクタ２４および下部プロテクタ２５が邪魔となることを防止することができる。
【００２８】
さらに、電床１１を複数の電床片２１，…，２１により構成することで、容易に所望の立体形状に形成することができ、特に、各電床片２１を、湾曲した２辺の湾曲辺２１ａ，２１ａを有する略二等辺三角形状とすることで、例えば略半球状などの帽子型形状であっても、人体の頭部への密着性を向上させることができる。
しかも、製造が容易であり、製造に要する費用が嵩むことを防止することができることに加えて、各電床片２１の形状を単位として帽子型形状の電床１１を容易に折り畳むことができ、収納性を向上させることができる。
【００２９】
さらに、メッシュ状の電極体片２３は、非導電性の繊維からなる糸状または紐状の素材に、導電性材料が鍍金、蒸着、塗布などされてなる線材２３ａが、編組または織込などによって互い違いに組み合わされて編成されていることから、線材２３ａ，２３ａ同士が交差する部位であっても各線材２３ａが変位可能であり、例えば糸状または紐状の素材が編組または織込によってメッシュ状に形成された後に、鍍金、蒸着、塗布などにより導電性材料からなる導電層が設けられる場合などでは、素材同士が交差する部位が導電性材料によって固定されてしまう虞があり、所望の柔軟性を確保することができないという問題が生じることに比べて、電極体片２３の柔軟性を向上させることができる。
【００３０】
さらに、電床１１の開口端部の開口径をゴムひも１５の弾性変形により変更可能であることから、例えば帽子型などの電床１１の頭部への密着性を向上させることができる。
さらに、覆布片２２の内部において、覆布片２２の表地および裏地と電極体片２３の本体部２３ｂとは、電極体片２３のメッシュ幅よりも大きい網目間隔を有する熱溶着性の網目状接着材によって接着されていることから、電極体片２３の柔軟性が低下してしまうことを抑制することができる。
【００３１】
そして、本実施の形態による電位治療美容器１０によれば、電床１１によって電位治療または電位美容を適切に行うことができる。
【００３２】
なお、上述した実施の形態において、覆布片２２の表地および裏地と電極体片２３の本体部２３ｂとは熱溶着性の網目状接着材（図示略）によって接着されているとしたが、これに限定されず、例えば電極体片２３のメッシュ幅よりも大きい間隔を有する格子点位置で熱溶着性の接着材によって接着されてもよい。
【００３３】
なお、上述した実施の形態において、導子１３は人体の所定部位に導通可能に接触する適宜の形状を有していればよく、例えば人体の手によって把持される棒状など、あるいは、例えば人体の顔面に装着されるマスク状などであってもよい。
【図面の簡単な説明】
【００３４】
【図１】本発明の実施形態に係る電位治療美容器の構成図である。
【図２】本発明の実施形態に係る電床の平面図である。
【図３】本発明の実施形態の電床片の平面図である。
【図４】図４（Ａ）は本発明の実施形態の上部プロテクタの側面図であり、図４（Ｂ）は本発明の実施形態の上部プロテクタを下面側から見た平面図である。
【図５】図５（Ａ）は本発明の実施形態の下部プロテクタの側面図であり、図５（Ｂ）は本発明の実施形態の下部プロテクタを上面側から見た平面図である。
【符号の説明】
【００３５】
１０  電位治療美容器  １１  電床  １２  電位発生装置（電位発生部）  １３  導子  １４  電線  １５  ゴムひも（弾性部材）  ２１  電床片  ２２  覆布片（被覆部材）  ２３  電極体片（電極体）  ２３ａ  線材  ２４  上部プロテクタ（接続部）  ２５  下部プロテクタ（接続部）
【図１】
2010035798.tif 000003
【図２】
2010035798.tif 000004
【図３】
2010035798.tif 000005
【図４】
2010035798.tif 000006
【図５】
2010035798.tif 000007